(57)【特許請求の範囲】
【請求項１】
筐体と該筐体の上部を覆う蓋体とを備えた装置本体と、
光ディスクが収容されるディスク収容部を有し、前記装置本体の前面に形成された開口を介して、前記装置本体に対し移動可能に設置させたディスクトレイと、
前記装置本体の内部に設けられ、前記光ディスクを支持するターンテーブルと前記光ディスクを前記ターンテーブルとの間で狭持するためのディスククランパと前記ターンテーブルを回転させるためのスピンドルモータとを備え、前記光ディスクを前記ターンテーブルと前記ディスククランパとの間で狭持し、前記スピンドルモータを回転させることで前記ターンテーブルを回転させ、それに伴い前記光ディスクを回転させる光ディスク回転駆動機構と、
前記光ディスクの高速回転により前記装置本体の内部に発生する気流を整流する整流部材として機能し、前記装置本体の内部に向けて突出するように前記蓋体と一体的に形成され、前記ディスクトレイを前記装置本体内に挿入したときに、前記光ディスク収容部に対応する領域内であって前記光ディスクの外周縁付近に前記光ディスクの半径方向に沿って延在するように設けられ、前記蓋体の内側から見た平面視にて、長円状の輪郭を有する底部、該底部の内側に位置し前記光ディスクの半径方向に延在する先端部および前記底部と前記先端部との間に位置する周面を備える少なくとも１つの凸部とを有し、
前記長円状の輪郭を有する底部は、前記凸部の延在方向と平行な１対の直線部と、前記各直線部の両端のうちの前記光ディスクの中心から近位に位置する端同士を連結する湾曲部と、前記各直線部の両端のうち前記光ディスクの中心から遠位に位置する端同士を連結する湾曲部とで規定され、
前記周面が傾斜面を構成するように、前記凸部の横断面積が前記底部から前記先端部に向けて漸減し、前記周面の前記各直線部と前記先端部とで規定される面がそれぞれ平坦な傾斜面をなし、前記光ディスクの回転により発生する前記光ディスクの周方向に流動する気流を前記平坦な傾斜面に沿わせて、前記先端部と前記光ディスクとの間の空間に導くように構成されていることを特徴とするディスク装置。
【請求項２】
前記先端部は、前記蓋体と平行な平坦面をなしている請求項１に記載のディスク装置。
【発明の詳細な説明】
【０００１】
【発明の属する技術分野】
本発明は、ディスク装置に関する。
【０００２】
【従来の技術】
ＣＤ−ＲＯＭ、ＣＤ−Ｒ、ＤＶＤ等の光ディスクを再生、または記録／再生するディスク装置としては、光ディスクをほぼ水平に置かれたディスクトレイ上の凹部に収納する横置き状態での使用の他、ディスクトレイが垂直となる縦置き状態での使用も可能な縦横両用タイプのものが知られている。
【０００３】
図１１は、縦置き状態で使用可能な従来の光ディスク装置を示す平面図、図１２は、図１１に示す光ディスク装置の部分断面側面図（ディスクトレイを排出位置へ移動させている状態）、図１３は、従来の光ディスク装置の他の構成例を示す部分断面側面図である。
【０００４】
図１１に示すように、この縦置き状態でも使用可能な従来のディスク装置９００は、光ピックアップ装置等からなるディスク装置用ユニット（図示せず）が内部に設置された装置本体９２０と、この装置本体９２０に対し光ディスクＤを装填する位置（装填位置）と排出する位置（排出位置）とに移動可能なディスクトレイ９１０とを有している。
【０００５】
装置本体９２０は、筐体９２２と、蓋体９２３と、前方に設けられたフロントベゼル９４０とを備え、フロントベゼル９４０には、開口９４１が形成されている。この開口９４１を介して、ディスクトレイ９１０が排出位置と装填位置とに出し入れされる。
【０００６】
ディスクトレイ９１０には、光ディスクＤが収納される凹状のディスク収納部９１１が形成されており、このディスク収納部９１１の周囲にはディスク収納部９１１側に突出するように複数の爪部９１３が設けられている。この爪部９１３は、従来のディスク装置９００が縦置き状態で用いられた場合に、光ディスクＤを面外方向から遊嵌状態で保持するためのものである。
【０００７】
ここで、このような爪部９１３がディスクトレイ９１０に設けられていると、光ディスクＤをディスク収納部９１１に収納する際に、誤って爪部９１３の上に光ディスクＤの一部を載せてしまい（図１１参照）、ディスクトレイ９１０を装填位置へ移動させると、光ディスクＤがディスク収納部９１１に対して傾斜した状態（光ディスクＤの一部がディスク収納部９１１から突出した状態）で装置本体９２０内に搬送されてしまう。そして、この場合、ディスクトレイ９１０を排出位置へ移動させようとしても、光ディスクＤが開口９４１付近（フロントベゼル９４０の上側後端）に引っかかり移動させることができない（図１２参照）。
【０００８】
そこで、このような爪部９１３を設ける場合には、従来、図１３に示すように、蓋体９２３の開口９４１近傍に、直方体形状の凸部９３０を設けることが行われている。この凸部９３０が設けられていると、爪部９１３に光ディスクＤの一部が載った状態で、ディスクトレイ９１０を装填位置へ移動させた場合であっても、凸部９３０が光ディスクＤをディスク収納部９１１に向かって押圧し、光ディスクＤと爪部９１３とをディスク収納部９１１の底面側に撓ませることができるので、ディスクトレイ９１０を排出位置へ移動させる際に、光ディスクＤが開口９４１付近に引っかかるのを防止して、ディスクトレイ９１０を排出位置へ移動させることができる。
【０００９】
しかしながら、直方体形状の凸部９３０が蓋体９２３に設けられていると、光ディスクＤが回転（高速回転）する際に発生する気流（空気の流れ）が、この凸部９３０近傍で急激に変化し、光ディスクＤをディスク収納部９１１に向かって（図１３中、下向きに）押し付けてしまう。これにより、光ディスクＤの記録面が光ピックアップからのレーザ光の焦点位置からズレ、記録再生特性に悪影響をおよぼす。さらに、光ディスクＤを回転駆動するためのスピンドルモータが特定の回転数に到達すると、スピンドルモータの振動と光ディスクＤが共振するという現象が見られるようになる。この場合、前述したような下向きの力が光ディスクＤに加わると、光ディスクＤの傾きがより一層大きくなり、光ディスクＤの記録再生特性が大きく損なわれる。
【００１０】
【発明が解決しようとする課題】
本発明の目的は、光ディスクの良好な記録再生特性が得られるディスク装置を提供することにある。
【００１１】
【課題を解決するための手段】
このような目的は、下記（１）、（２）の本発明により達成される。
【００１２】
（１）  筐体と該筐体の上部を覆う蓋体とを備えた装置本体と、
光ディスクが収容されるディスク収容部を有し、前記装置本体の前面に形成された開口を介して、前記装置本体に対し移動可能に設置させたディスクトレイと、
前記装置本体の内部に設けられ、前記光ディスクを支持するターンテーブルと前記光ディスクを前記ターンテーブルとの間で狭持するためのディスククランパと前記ターンテーブルを回転させるためのスピンドルモータとを備え、前記光ディスクを前記ターンテーブルと前記ディスククランパとの間で狭持し、前記スピンドルモータを回転させることで前記ターンテーブルを回転させ、それに伴い前記光ディスクを回転させる光ディスク回転駆動機構と、
前記光ディスクの高速回転により前記装置本体の内部に発生する気流を整流する整流部材として機能し、前記装置本体の内部に向けて突出するように前記蓋体と一体的に形成され、前記ディスクトレイを前記装置本体内に挿入したときに、前記光ディスク収容部に対応する領域内であって前記光ディスクの外周縁付近に前記光ディスクの半径方向に沿って延在するように設けられ、前記蓋体の内側から見た平面視にて、長円状の輪郭を有する底部、該底部の内側に位置し前記光ディスクの半径方向に延在する先端部および前記底部と前記先端部との間に位置する周面を備える少なくとも１つの凸部とを有し、
前記長円状の輪郭を有する底部は、前記凸部の延在方向と平行な１対の直線部と、前記各直線部の両端のうちの前記光ディスクの中心から近位に位置する端同士を連結する湾曲部と、前記各直線部の両端のうち前記光ディスクの中心から遠位に位置する端同士を連結する湾曲部とで規定され、
前記周面が傾斜面を構成するように、前記凸部の横断面積が前記底部から前記先端部に向けて漸減し、前記周面の前記各直線部と前記先端部とで規定される面がそれぞれ平坦な傾斜面をなし、前記光ディスクの回転により発生する前記光ディスクの周方向に流動する気流を前記平坦な傾斜面に沿わせて、前記先端部と前記光ディスクとの間の空間に導くように構成されていることを特徴とするディスク装置。
【００１３】
（２）  前記先端部は、前記蓋体と平行な平坦面をなしている上記（１）に記載のディスク装置。
【００３２】
【発明の実施の形態】
以下、本発明のディスク装置を添付図面に示す好適な実施形態に基づいて詳細に説明する。
【００３３】
＜第１実施形態＞
まず、本発明のディスク装置の第１実施形態について説明する。
【００３４】
図１は、本発明のディスク装置の第１実施形態を示す平面図、図２は、図１に示すディスク装置における天板を装置本体の内側から見た平面図、図３は、図１に示すディスク装置における天板を取り外した状態を示す平面図、図４および図５は、それぞれ、図１に示すディスク装置を示す断面側面図、図６は、図１に示すディスク装置のディスクトレイに光ディスクを誤って収納した状態（誤収納状態）を示す平面図、図７は、図６に示す状態で、ディスクトレイを装填位置から排出位置へ移動させている状態を示した断面側面図である。なお、以下では、説明の都合上、図１〜図３、図６中の上方および図４、図５、図７中の右方を「後」または「後方」、図１〜図３、図６中の下方および図４、図５、図７中の左方を「前」または「前方」と言う。
【００３５】
これらの図に示すディスク装置１は、音楽用ＣＤ、ＣＤ−ＲＯＭ、ＣＤ−Ｒ、ＣＤ−ＲＷ、ＤＶＤ等の光ディスクに記録された情報を再生する機能（または記録／再生する機能）を有する装置である。
【００３６】
図１ないし図５に示すように、ディスク装置１は、装置本体２と、光ディスクを載置（収納）し、装置本体２に対し前後方向（水平方向）に移動するディスクトレイ１１と、装置本体２内に設置されたスレッドメカユニット（ディスク装置用ユニット）３とを備えている。以下、各部の構成について説明する。
【００３７】
装置本体２は、フレーム２１と、フレーム２１の下部および側部を覆うケーシング（筐体）２２と、フレーム２１（ケーシング２２）の上部を覆う天板（蓋体）２３と、前方に設けられたフロントベゼル２４とを有している。
【００３８】
また、フロントベゼル２４には、開口２４０が形成されている。すなわち、装置本体２の前面には、開口２４０が形成されている。この開口２４０を介して、ディスクトレイ１１が装置本体２に対し移動可能に設置されている。
【００３９】
フレーム２１には、ディスクトレイ１１およびその駆動機構（図示せず）、スレッドメカユニット３、メイン回路基板１２等が搭載されている。
【００４０】
フレーム２１には、ケーシング２２が例えばビス止めにより固定されており、フレーム２１の下部は、ケーシング２２の底板２２１により覆われている。
【００４１】
また、フレーム２１の上部には、天板２３が例えばビス止めにより固定され、フレーム２１と天板２３との間にディスクトレイ１１を収納する空間が形成される。
【００４２】
なお、フレーム２１およびディスクトレイ１１は、それぞれ、樹脂材料（プラスチック）で構成されたものである。
【００４３】
また、ケーシング２２および天板２３は、それぞれ、金属板をプレス成形等により所定に変形させてなる板状部材であり、天板２３には、図２に示すように、後述する凸部２３１が一体的に形成されている。
【００４４】
メイン回路基板１２には、ディスク装置１の諸動作を制御する回路が形成されているとともに、マイクロプロセッサ、メモリ、モータドライバなどの各種ＩＣや、抵抗、コンデンサ、スイッチなどの各種電子部品が搭載されている。
【００４５】
ディスクトレイ１１は、浅い凹状のディスク収納部１１１を有しており、光ディスクは、このディスク収納部１１１に収納された状態で搬送される。
【００４６】
また、このディスクトレイ１１には、図１に示すように、ディスク収納部１１１の外周部に、爪部１１３が４カ所に設けられている。各爪部１１３は、それぞれ、軸１１４を中心として回転（回動）可能になっており、ディスク装置１を縦置き状態で使用する場合には、ディスク収納部１１１に突出した状態（図１に示す状態）とされ、収納された光ディスクをディスク収納部１１１から脱落しないように、面外方向から遊嵌状態で保持する。
【００４７】
これらの爪部１１３は、それぞれ、樹脂材料等の可撓性を有する材料で構成されている。
【００４８】
ディスクトレイ１１は、フレーム２１に搭載された駆動機構（図示せず）により駆動され、開口２４０を介して、装置本体２に対し前後方向に移動（摺動）する。すなわち、ディスクトレイ１１は、開口２４０を介して、装置本体２に対し光ディスクを装填する装填位置（以下、「装填状態」とも言う。）と、光ディスクを排出する排出位置（以下、「排出状態」とも言う。）との間で移動可能になっている。
【００４９】
このディスクトレイ１１は、装填位置（図５に示す状態）では、その全体が装置本体に収納された状態となり、排出位置（図１、図３および図４に示す状態）では、その大半が装置本体２の前方側に排出（突出）された状態となる。
【００５０】
図３ないし図５に示すように、装置本体２の内部には、スレッドメカユニット３を支持する枠部材１３が設置されている。枠部材１３は、ほぼ長方形の枠状をなしており、その後端部には、軸１３１が両側にそれぞれ突出形成されている。軸１３１は、フレーム２１に形成された受け部に回動可能に支持されている。これにより、枠部材１３は、装置本体２に対し軸１３１を中心として回動可能になっている。
【００５１】
枠部材１３は、図示しない駆動機構の駆動により、装填状態では天板２３および底板２２１とほぼ平行な姿勢となり、排出状態ではその前方側が下方向に変位して天板２３および底板２２１に対し傾斜した姿勢となるように変位する。
【００５２】
枠部材１３の内側には、スレッドメカユニット３が位置している。スレッドメカユニット３は、振動を吸収する４個のゴムブッシュ（弾性部材）１４を介して、枠部材１３に支持されている。
【００５３】
スレッドメカユニット３は、主に、シャーシ（基台）４と、シャーシ４上に設置（搭載）された光ディスク回転駆動機構５、光ピックアップ（光学ヘッド）６および光ピックアップ移動機構７とで構成されている。
【００５４】
光ディスク回転駆動機構５は、スピンドルモータ５１と、該スピンドルモータ５１のロータに固定されたターンテーブル５２とを有している。光ディスク回転駆動機構５は、ターンテーブル５２に光ディスクを装着（載置）して、この光ディスクを回転駆動するものである。
【００５５】
光ピックアップ６は、対物レンズ６１と、該対物レンズ６１を光軸方向（フォーカシング）および光ディスクの半径方向（トラッキング）に駆動するアクチュエータ６２と、レーザ光源と、集光光学系と、ビームスプリッタ（またはハーフミラー）と、情報検出用およびフォーカシング信号、トラッキング信号検出用の受光素子と、これらを支持する支持部材６３とを備え、光ディスクの記録面へ照射されたレーザ光の反射光を、対物レンズ、ビームスプリッタ（またはハーフミラー）等を介して受光素子へ導く構成のものである。
【００５６】
対物レンズ６１は、装填状態では、ディスクトレイ１１に形成された開口１１２よりディスク収納部１１１に露出し、光ディスクの記録面と対面する。
【００５７】
支持部材６３は、例えばダイキャストで製造されるような金属材料で構成されている。支持部材６３の図３中の左側には、ガイドシャフト７６を挿通する孔が形成された一対の摺動部６４が形成されている。また、支持部材６３の図３中の右側には、ガイドシャフト７７に係合し、このガイドシャフト７７に沿って摺動する摺動部６５が形成されている。
【００５８】
光ピックアップ移動機構７は、正転／逆転可能なスレッドモータ７１と、該スレッドモータ７１の回転軸に固定されたウォーム７２と、該ウォーム７２に噛合する大径ギア７３と、大径ギア７３に固定されかつ同軸で回転する小径ギア７４と、支持部材６３に固定され、小径ギア７４と噛合するラックギア７５と、支持部材６３の移動経路を規定し、これを案内する一対のガイドシャフト７６および７７とで構成されている。
【００５９】
スレッドモータ７１が駆動すると、その回転力がウォーム７２、大径ギア７３、小径ギア７４およびラックギア７５に順次伝達され、支持部材６３がガイドシャフト７６、７７に沿って光ディスクの径方向（半径方向）に所定の移動範囲内で移動する。この場合、スレッドモータ７１の回転方向により、支持部材６３は、光ディスクの回転中心に接近する方向または回転中心から遠ざかる方向に移動する。
【００６０】
シャーシ４（スレッドメカユニット３）は、枠部材１３と共に装置本体２に対し回動する。この回動中心である軸１３１は、シャーシ４の後端（一端）付近に位置する。すなわち、シャーシ４の後端は、回動中心となり装置本体２に対しほぼ変位しない回動端４１であり、シャーシ４の前端（他端）は、装置本体２に対しほぼ上下方向に変位する変位端４２になっている。
【００６１】
このような構成により、シャーシ４（スレッドメカユニット３）は、装填状態では変位端４２側が上昇した位置（以下、単に「上昇位置」と言う。）にあり（図５参照）、排出状態では変位端４２側が下降した位置（以下、単に「下降位置」と言う。）にある（図４参照）。
【００６２】
シャーシ４は、上昇位置では天板２３および底板２２１にほぼ平行な姿勢になり、下降位置では、天板２３および底板２２１に対し傾斜した姿勢になる。
【００６３】
シャーシ４が上昇位置にあるときには、ターンテーブル５２は、開口１１２よりディスク収納部１１１内に突出（露出）し、これにより、装置本体２内に装填された光ディスクがターンテーブル５２に装着（載置）される。この状態では、天板２３の内側に回転可能に設置されたディスククランパ１５がターンテーブル５２に設置された磁石に吸着され、これにより、光ディスクがターンテーブル５２とディスククランパ１５との間で挟持される（図５参照）。
【００６４】
シャーシ４が下降位置にあるときには、ターンテーブル５２や光学ヘッド６の一部等と、排出位置に移動するディスクトレイ１１とが干渉しないようになっている（図４参照）。
【００６５】
以上のようにして、ディスクトレイ１１の排出位置で、ディスク収納部１１１に正常に収納された光ディスクは、ディスクトレイ１１の装填位置への移動により装置本体２内に搬送され、ターンテーブル５２に装着される。
【００６６】
しかし、図６に示すように、例えば光ディスクＤの一部を誤ってディスクトレイ１１の爪部１１３上に載せた状態、すなわち、ディスクトレイ１１の前方側において、光ディスクＤがディスク収納部１１１から突出した状態（以下、この状態を「誤収納状態」と言う。）で、ディスクトレイ１１を装填位置へ移動させて、光ディスクＤを装置本体２内に搬送した場合には、光ディスクＤをターンテーブル５２に装着することができない。このため、この場合、ディスクトレイ１１を排出位置へ移動させて、光ディスクＤを装置本体２から排出しなければならない。
【００６７】
本発明では、天板２３には、図５および図７に示すように、ディスクトレイ１１を装置本体２へ挿入したとき（ディスクトレイ１１を装填位置へ移動させたとき）のディスク収納部１１１に対応する領域内に、装置本体２の内側に向かって突出する凸部２３１が設けられている。本実施形態では、凸部２３１は、天板２３の前記領域内であり、開口２４０近傍に設けられている。この凸部２３１は、光ディスクＤの姿勢を規制し得る機能、すなわち、光ディスクＤが開口２４０付近（フロントベゼル２４の上側後端）に引っかかるのを防止し得る機能を有するものである。したがって、光ディスクＤを誤収納状態（誤装着状態）でディスクトレイ１１を装填位置へ移動させた場合であっても、ディスクトレイ１１を排出位置へ向かって移動させる際に、フロントベゼル２４の上側後端に引っかかるのを防止することができ、ディスクトレイ１１を排出位置に円滑に移動させることができる。
【００６８】
具体的には、誤収納状態で、ディスクトレイ１１を装填位置へ移動させた場合（光ディスクＤが装置本体２内に誤挿入された場合）、凸部２３１は、光ディスクＤのディスク収納部１１１から突出した部分（図７中、左側）をディスク収納部１１１に向かって押圧し、爪部１１３と光ディスクＤをディスク収納部１１１の底面側に撓ませる。これにより、ディスクトレイ１１を排出位置へ移動させる際に、光ディスクＤが開口２４０付近に引っかかるのを防止することができる。
【００６９】
さて、本発明では、図２に示すように、凸部２３１は、図２の平面視（つまり、天板２３の内側から見た平面視）にて、長円状の輪郭を有する底部と、その底部の内側に位置し光ディスクＤの半径方向に延在する先端部２３３と、底部と先端部２３３との間に位置する周面２３２とを備えている。
そして、長円状の輪郭を有する底部は、凸部２３１の延在方向と平行な１対の直線部と、各直線部の両端のうちの光ディスクＤの中心から近位に位置する端同士を連結する湾曲部と、各直線部の両端のうち光ディスクＤの中心から遠位に位置する端同士を連結する湾曲部とで規定されている。
また、凸部２３１の周面２３２が傾斜面を構成するように、凸部２３１の横断面積が底部から先端部２３３に向けて漸減し、周面２３２の、底部の輪郭を規定する各直線部と先端部２３３とで規定される面がそれぞれ平坦な傾斜面をなしている。
このような凸部２３１によれば、光ディスクＤの回転により発生する光ディスクＤの周方向に流動する気流を平坦な傾斜面に沿わせて、先端部２３３と光ディスクＤとの間の空間に導くことができる。
【００７０】
ここで、仮に、例えば直方体形状等の凸部、すなわち、その横断面積が先端に向かって変化しない形状（周面が天板２３に対してほぼ垂直をなす形状）の凸部が天板２３に設けられていると、光ディスクＤが回転（高速回転）する際に発生する気流（空気の流れ）が、この凸部近傍で急激に変化し、光ディスクＤをディスク収納部１１１に向かって（下向きに）押し付けてしまう。これにより、光ディスクＤの記録面が光ピックアップからのレーザ光の焦点位置からズレ、記録再生特性に悪影響をおよぼす。さらに、光ディスクＤを回転駆動するためのスピンドルモータ５１が特定の回転数に到達すると、スピンドルモータ５１の振動と光ディスクＤが共振するという現象が見られるようになる。この場合、前述したような下向きの力が光ディスクＤに加わると、光ディスクＤの傾きがより一層大きくなり、光ディスクＤの記録再生特性が大きく損なわれる。
【００７１】
これに対し、凸部２３１を前述したような形状とすることにより、空気が凸部２３１の表面に沿うように流れるので、光ディスクＤが回転（高速回転）する際に発生する気流（空気の流れ）が凸部２３１近傍で急激に変化する（気流の凸部２３１近傍における変化量が増大する）のを抑制（防止）することができる。これにより、気流の凸部２３１近傍における変化量の増大（気流の乱れ）に起因する光ディスクＤの記録再生特性の低下を抑制（防止）することができる。
【００７２】
この場合、周面２３２と天板２３とのなす角度（図４中、角度θ１）は、特に限定されないが、１１０〜１５０°程度であるのが好ましく、１２５〜１３５°程度であるのがより好ましい。角度θ１を前記範囲とすることにより、前記効果がより向上する。
【００７３】
また、凸部２３１は、その横断面形状が長円形をなしている。これにより、空気がより円滑に凸部２３１の表面に沿うように流れるようになり、凸部２３１近傍で気流が急激に変化する（気流が乱れる）のをより効率よく抑制（防止）することができる。
【００７４】
また、凸部２３１は、その先端面２３３が平坦面を構成しており、そして、ディスクトレイ１１を装填位置へ移動させたとき、先端面２３３とディスク収納部１１１の底面とは、ほぼ平行となるように構成されている。凸部２３１をこのような構成とすることにより、空気がより円滑に凸部２３１の表面に沿うように流れるようになり、凸部２３１近傍で気流が乱れるのをより効率よく抑制（防止）することができる。また、誤収納状態の光ディスクＤは、ディスクトレイ１１を装填位置から排出位置へ向かって移動させる際に、その上面が凸部２３１に接触しつつ摺動するが、凸部２３１をこのような構成とすることにより、光ディスクＤの凸部２３１に対する摺動抵抗を低減することができ、また、光ディスクＤの上面が傷つくのを防止することもできる。
【００７５】
また、本実施形態では、凸部２３１が天板２３と一体的に形成されている。このため、ゴム片等で構成される別部材を天板２３に固着（固定）する場合と比較して、ディスク装置１の製造工程数や部品点数を削減することができ、ディスク装置１の生産性を向上させることができる。
【００７６】
このような凸部２３１の形成方法は、特に限定されないが、プレス加工または絞り加工を用いるのが好ましい。このような塑性加工によれば、凸部２３１を容易に形成することができる。
【００７７】
なお、凸部２３１の形状は、図示のものに限定されない。例えば、凸部２３１の横断面形状は、三角形、四角形、菱形、六角形等の多角形、円形等とすることもできる。
【００７８】
また、凸部２３１は、天板２３と一体的に形成されたものに限定されず、例えば、ゴム片等で構成される別部材を天板２３に接着剤等により固着（固定）したものであってもよい。
【００７９】
＜第２実施形態＞
次に、本発明のディスク装置の第２実施形態について説明する。
【００８０】
図８は、第２実施形態のディスク装置が備える天板を内側から見た平面図、図９は、第２実施形態のディスク装置を示す断面側面図である。
【００８１】
以下、第２実施形態のディスク装置について、前記第１実施形態との相違点を中心に説明し、同様の事項については、その説明を省略する。
【００８２】
第２実施形態のディスク装置１では、天板２３に凸部２３１と凸条２３４とが設けられ、それ以外は、前記第１実施形態と同様である。
【００８３】
すなわち、第２実施形態の天板２３には、図９に示すように、ディスクトレイ１１を装置本体２へ挿入したとき（ディスクトレイ１１を装填位置へ移動させたとき）のディスク収納部１１１に対応する領域内に、前記第１実施形態と同様の構成の凸部２３１と、円弧状の装置本体２の内側に向かって突出する凸条２３４とが、それぞれ、設けられている。
【００８４】
具体的には、凸条２３４は、光ディスクＤ（ディスククランパ１５）の回転中心をほぼ中心として、円弧状に設けられている。
【００８５】
この凸条２３４は、光ディスクＤが回転（高速回転）する際に発生する気流（空気の流れ）を調整する機能（整流作用）を有するものであり、本実施形態では、凸条２３４は、凸部２３１とともに、整流手段（気流調整手段）を構成している。
【００８６】
また、凸条２３４の高さは、凸部２３１の高さより低く設定されている。これにより、凸条２３４と凸部２３１とによる整流手段としての機能が好適に発揮される。
【００８７】
また、凸条２３４は、その横断面積が先端に向かって漸減する形状をなしている。本実施形態では、凸条２３４は、その周面２３５が傾斜面を構成している。凸条２３４をこのような形状とすることにより、光ディスクＤが回転（高速回転）する際に発生する気流をより効率よく調整（制御）することができる。これにより、気流の乱れに起因する光ディスクＤの記録再生特性の低下をより確実に抑制（防止）することができる。
【００８８】
この場合、周面２３５と天板２３とのなす角度（図９中、角度θ２）は、特に限定されないが、１００〜１５０°程度であるのが好ましく、１３５〜１４５°程度であるのがより好ましい。角度θ２を前記範囲とすることにより、前記効果がより向上する。
【００８９】
また、凸条２３４は、その先端面２３６が平坦面を構成しており、そして、ディスクトレイ１１を装填位置へ移動させたとき、先端面２３６とディスク収納部１１１の底面とは、ほぼ平行となるように構成されている。凸条２３４をこのような構成とすることにより、気流をより効率よく調整することができる。
【００９０】
この凸条２３４の先端面２３６とディスク収納部１１１の底面との距離（図９中、長さＬ）は、特に限定されないが、８〜１０ｍｍ程度であるのが好ましく、８．５〜９．５ｍｍ程度であるのがより好ましい。前記長さＬを前記範囲とすることにより、凸条２３４による整流作用が特に効果的に発揮される。
【００９１】
また、本実施形態では、凸条２３４は、天板２３と一体的に形成されている。凸条２３４を天板２３と一体的に成形することにより、ゴム片等で構成される別部材を天板２３に固着（固定）する場合と比較して、ディスク装置１の製造工程数や部品点数を削減することができる。このため、ディスク装置１の生産性を向上させることができる。
【００９２】
このような凸条２３４の形成方法は、特に限定されないが、プレス加工または絞り加工を用いるのが好ましい。このような塑性加工によれば、凸条２３４を容易に形成することができる。
【００９３】
なお、凸条２３４の横断面形状は、光ディスクＤが回転する際に発生する気流を調整することができる形状であれば、図示のものに限定されない。また、凸条２３４は、一つの繋がったものでなく、例えば、複数の凸条が間隔をおいて設けられたものであってもよい。
【００９４】
また、凸部２３１および凸条２３４は、天板２３と一体的に形成されたものに限定されず、これらの一方または双方は、例えば、ゴム片等で構成される別部材を天板２３に接着剤等により固着（固定）したものであってもよい。
【００９５】
この第２実施形態のディスク装置１によっても、前記第１実施形態と同様の効果が得られる。
【００９６】
また、凸部２３１は、必要に応じて（例えばディスク装置１の種類等に応じて）、省略することもできる。すなわち、本発明のディスク装置１では、凸条２３４のみ天板２３に設けられたものであってもよい。なお、この場合であっても、凸条２３４は、前述したような整流作用を好適に発揮する。
【００９７】
＜第３実施形態＞
次に、本発明のディスク装置の第３実施形態について説明する。
【００９８】
図１０は、第３実施形態のディスク装置が備える天板を内側から見た平面図である。
【００９９】
以下、第３実施形態のディスク装置について、前記第１および第２実施形態との相違点を中心に説明し、同様の事項については、その説明を省略する。
【０１００】
第３実施形態のディスク装置１では、凸部２３１と凸条２３４とは、それらの一部が繋がっており、それ以外は、前記第２実施形態と同様である。
【０１０１】
これにより、凸条２３４の形成領域を増大させることができるので、光ディスクＤが回転（高速回転）する際に発生する気流（空気の流れ）をより確実に調整（整流）することができ、その結果、光ディスクＤの記録再生特性の低下をより確実に防止することができる。
【０１０２】
この第３実施形態のディスク装置１によっても、前記第１および第２実施形態と同様の効果が得られる。
【０１０３】
以上、本発明のディスク装置を図示の実施形態について説明したが、本発明は、これに限定されるものではなく、ディスク装置を構成する各部は、同様の機能を発揮し得る任意の構成のものと置換することができる。また、任意の構成物が付加されていてもよい。
【０１０４】
また、各前記実施形態では、凸部は、光ディスクの誤挿入防止機能を有するものとして説明したが、凸部は、これに代わり、他の任意の機能を有するものや、光ディスクの誤挿入防止機能と他の機能との２種以上の機能を併有するものであってもよい。これらの場合、凸部の設置位置は、ディスクトレイを装置本体内に挿入したときのディスク収納部に対応する領域内であれば、蓋体の開口近傍に限定されるものではない。
【０１０５】
【発明の効果】
以上述べたように、本発明によれば、光ディスクが回転（高速回転）する際に発生する気流（空気の流れ）が乱れるのを抑制（防止）することができる。
また、本発明によれば、この気流を調整（整流）することもできる。
【０１０６】
このようなことから、本発明によれば、光ディスクの記録再生特性の低下を防止することができる。
【図面の簡単な説明】
【図１】本発明のディスク装置の第１実施形態を示す平面図である。
【図２】図１に示すディスク装置における天板を装置本体の内側から見た平面図である。
【図３】図１に示すディスク装置における天板を取り外した状態を示す平面図である。
【図４】図１に示すディスク装置を示す断面側面図（排出状態）である。
【図５】図１に示すディスク装置を示す断面側面図（装填状態）である。
【図６】図１に示すディスク装置のディスクトレイに光ディスクを誤って収納した状態（誤収納状態）を示す平面図である。
【図７】図６に示す状態で、ディスクトレイを装填位置から排出位置へ移動させている状態を示した断面側面図である。
【図８】第２実施形態のディスク装置が備える天板を内側から見た平面図である。
【図９】第２実施形態のディスク装置を示す断面側面図である。
【図１０】第３実施形態のディスク装置が備える天板を内側から見た平面図である。
【図１１】縦置き状態で使用可能な従来の光ディスク装置を示す平面図である。
【図１２】図１１に示す光ディスク装置の部分断面側面図（ディスクトレイを排出位置へ移動させている状態）である。
【図１３】従来の光ディスク装置の他の構成例を示す部分断面側面図である。
【符号の説明】
１            ディスク装置
１１          ディスクトレイ
１１１        ディスク収納部
１１２        開口
１１３        爪部
１１４        軸
１２          メイン回路基板
１３          枠部材
１３１        軸
１４          ゴムブッシュ
１５          ディスククランパ
２            装置本体
２１          フレーム
２２          ケーシング
２２１        底板
２３          天板
２３１        凸部
２３２        周面
２３３        先端面
２３４        凸条
２３５        周面
２３６        先端面
２４          フロントベゼル
２４０        開口
３            スレッドメカユニット
４            シャーシ
４１          回動端
４２          変位端
４３          シャーシ本体
４４          ゴムブッシュ装着部
４５          スピンドルモータ固定部
５            光ディスク回転駆動機構
５１          スピンドルモータ
５２          ターンテーブル
６            光ピックアップ
６１          対物レンズ
６２          アクチュエータ
６３          支持部材
６４、６５    摺動部
７            光ピックアップ移動機構
７１          スレッドモータ
７２          ウォーム
７３          大径ギア
７４          小径ギア
７５          ラックギア
７６、７７    ガイドシャフト
８１          ガイドシャフト高さ調整機構
９１          ホルダー部材
Ｄ            光ディスク
９００        従来のディスク装置
９１０        ディスクトレイ
９１１        ディスク収納部
９１３        爪部
９２０        装置本体
９２２        筐体
９２３        蓋体
９３０        凸部
９４０        フロントベゼル
９４１        開口
【図１】
0004168654.tif 000002
【図２】
0004168654.tif 000003
【図３】
0004168654.tif 000004
【図４】
0004168654.tif 000005
【図５】
0004168654.tif 000006
【図６】
0004168654.tif 000007
【図７】
0004168654.tif 000008
【図８】
0004168654.tif 000009
【図９】
0004168654.tif 000010
【図１０】
0004168654.tif 000011
【図１１】
0004168654.tif 000012
【図１２】
0004168654.tif 000013
【図１３】
0004168654.tif 000014